(57)【要約】【課題】バイブレーション機能を含む多機能を備えつつ実用レベルのサイズのアナログ腕時計を提供する。【解決手段】バイブレーション機能を有するアナログ腕時計１であって、時計ケース１０と、時計ケース１０内に配置された第１回路基板と、時計ケース１０内に配置されたバイブレーション用振動モータ１９とを備え、第１回路基板は、バイブレーション用振動モータ１９を配置するための第１切り欠き部を有し、バイブレーション用振動モータ１９は、第１切り欠き部により確保された空間に配置される。【選択図】図１−１
2011112460.tif 000002
【特許請求の範囲】
【請求項１】
バイブレーション機能を有するアナログ腕時計であって、
時計ケースと、
前記時計ケース内に配置された第１回路基板と、
前記時計ケース内に配置されたバイブレーション用振動モータと
を備え、
前記第１回路基板は、前記バイブレーション用振動モータを配置するための第１切り欠き部を有し、
前記バイブレーション用振動モータは、前記第１切り欠き部により確保された空間に配置されることを特徴とするアナログ腕時計。
【請求項２】
文字板と、
前記文字板の裏面に配置されたデジタル表示用ＬＥＤと
をさらに備え、
前記第１回路基板は、前記デジタル表示用ＬＥＤを駆動する駆動回路を有することを特徴とする請求項１に記載のアナログ腕時計。
【請求項３】
二次電池と、
前記二次電池を充電する充電回路を含む第２回路基板と
をさらに備え、
前記第２回路基板は、前記バイブレーション用振動モータを配置するための第２切り欠き部を有し、
前記バイブレーション用振動モータは、前記第２切り欠き部により確保された空間に配置されることを特徴とする請求項１または２に記載のアナログ腕時計。
【請求項４】
前記第１回路基板は、外部照明ＬＥＤを搭載し、
前記文字板は、第３切り欠き部を備え、
前記外部照明ＬＥＤは、前記第３切り欠き部を介して前記文字板の表面側に光を照射することを特徴とする請求項２または３に記載のアナログ腕時計。
【請求項５】
前記文字板を照らす内部照明ＬＥＤと、
前記文字板の裏面側に配置され、前記内部照明ＬＥＤを搭載する第３回路基板と
をさらに備えることを特徴とする請求項２から４のいずれか一項に記載のアナログ腕時計。
【請求項６】
前記時計ケースの裏ブタに配置された圧電素子をさらに備え、
前記圧電素子によるサウンドアラーム機能を有することを特徴とする請求項１から５のいずれか一項に記載のアナログ腕時計。
【発明の詳細な説明】
【技術分野】
【０００１】
本発明は、アナログ腕時計に関するものである。
【背景技術】
【０００２】
従来から、アラーム機能を有するアナログ表示またはデジタル表示の時計が知られている。さらに、アナログ表示またはデジタル表示の時計に、アラーム機能としてバイブレーション機能を搭載したものが知られている（例えば、特許文献１〜３参照）。アラーム機能において、報知時刻等を設定するためには、複雑な目安機構が必要となる（例えば、特許文４、５参照）。目安針等の機構があると、アナログ時計のデザインには制約があった。
【０００３】
また、ＬＣＤを使用したデジタル表示のアラーム機構では、デジタル駆動回路に目安機能を入れ込むことは容易である。しかしながら、デジタル表示が必要となるため、これもデザイン上の制約は大きい。
【０００４】
また、バイブレーションの変わりに、音響アラームを用いるものがある。これは、裏ブタに、圧電素子を追加するのみで、構成は簡単である。しかしながら、音がうるさく、使用場所が限定されるという欠点があった。
【０００５】
特許文献６には、アナログ時計に、ＬＥＤによるデジタル表示機構を使用したバイブレーション機能付き時計が開示されている。また、特許文献７には、外部照明・充電器機能を備えた、アナログ時計が開示されている。
【先行技術文献】
【特許文献】
【０００６】
【特許文献１】特開平１１−１４２５４０号公報
【特許文献２】特開２００２−２９２３３６号公報
【特許文献３】特開２００２−３５０５７４号公報
【特許文献４】特開昭５３−３４５５８号公報
【特許文献５】特許第３５０７５５５号公報
【特許文献６】特開２００８−１２８８１８号公報
【特許文献７】特開２００４−５３３４２号公報
【発明の概要】
【発明が解決しようとする課題】
【０００７】
近年さらに、ＬＥＤによるデジタル表示機構をもった時計の高機能化の要求が高まっているが、単純に機能を付加したのみでは、電子基板の増加に伴い時計モジュールの大型化を招き、実用レベルの大きさを実現しにくい状況が発生してきた。
【０００８】
また、バイブレーション機能を実現する振動モータとしては、人が感じやすい振動に近づけるためには、主に横振動を起こす扁平型（コイン型）振動モータでなく、主に縦振動を起こす円筒型（シリンダ型）振動モータが好ましい。しかしながら、時計のケース内に円筒部（シリンダー部）の厚みのスペースを確保する必要があり、腕時計の厚みが必要以上に増してしまい、使い勝手が悪くなるという問題点があった。
【０００９】
特に充電式腕時計の場合、充電する２次電池、及び２次コイルのスペース確保が必要なため、腕時計の厚みがさらに増し、振動モータを人が感じやすい適切な位置に配置するのが困難になるという問題点があった。
【００１０】
本発明は、上記に鑑みてなされたものであって、バイブレーション機能を含む多機能を備えつつ実用レベルのサイズのアナログ腕時計を提供することを目的とする。
【課題を解決するための手段】
【００１１】
上述した課題を解決し、目的を達成するために、本発明は、バイブレーション機能を有するアナログ腕時計であって、時計ケースと、前記時計ケース内に配置された第１回路基板と、前記時計ケース内に配置されたバイブレーション用振動モータとを備え、前記第１回路基板は、前記バイブレーション用振動モータを配置するための第１切り欠き部を有し、前記バイブレーション用振動モータは、前記第１切り欠き部により確保された空間に配置されることを特徴とする。
【発明の効果】
【００１２】
本発明によれば、バイブレーション機能を含む多機能を備えつつ実用レベルのサイズのアナログ腕時計を提供することができるという効果を奏する。
【図面の簡単な説明】
【００１３】
【図１−１】図１−１は、バイブレーション機能付きアナログ腕時計１を表側（文字板側）から見た正面図である。
【図１−２】図１−２は、アナログ腕時計１の断面図である。
【図２】図２は、第１回路基板４０を表面４２側から見た図である。
【図３】図３は、第１回路基板４０を裏面４３側から見た図である。
【図４】図４は、第２回路基板５０を表面５２から見た図である。
【図５】図５は、第２回路基板５０を裏面５３側から見た図である。
【図６】図６は、第３回路基板６０等をアナログ腕時計１の表面側から見た図である。
【図７】図７は、アナログ腕時計１の断面図である。
【図８】図８は、第３回路基板６０を表面６２から見た図である。
【図９】図９は、充電器７０に載置されたアナログ腕時計１を示す図である。
【図１０】図１０は、アナログ腕時計１の概略構成を示すブロック図である。
【発明を実施するための形態】
【００１４】
以下に添付図面を参照して、この発明にかかるアナログ腕時計の最良な実施の形態を詳細に説明する。
【００１５】
図１−１は、本発明の実施の形態にかかるバイブレーション機能付きアナログ腕時計１を表側（文字板側）から見た正面図である。図１−２は、アナログ腕時計１の断面図である。アナログ腕時計１のモジュールサイズは、例えばφ３３．００ｍｍ×７．８５ｍｍｔである。
【００１６】
時計ケース１０内ほぼ中央に、時計を運針するためのアナログムーブメント１１が配置され、アナログムーブメント１１の中央から、アナログ腕時計１の表側に向けて運針軸１２が突出している。運針軸１２の先端には、時針１３、分針１４、秒針１５などの指針が取り付けられている。
【００１７】
文字板１６の裏面には、デジタル表示用ＬＥＤ１７が配置されている。文字板１６は、文字板１６の表面側から文字板１６を介してデジタル表示用ＬＥＤ１７によるデジタル表示１８を視認し得る光透過率の材料で形成されている。これにより、デジタル表示用ＬＥＤ１７を点灯したときのみ、デジタル表示１８を視認することができる。
【００１８】
時計ケース１０の１２時側には、円筒型のバイブレーション用振動モータ１９が収容されている。アナログ腕時計１は、さらに、文字板１６の表面を照らす内部照明ＬＥＤ２０と、文字板１６の表面上から光を出しアナログ腕時計１外部を照らす外部照明ＬＥＤ２１を備えている。内部照明ＬＥＤ２０は、後述の第３回路基板６０に搭載されている。外部照明ＬＥＤ２１は、後述の第１回路基板４０に搭載されている。文字板１６は、外部照明ＬＥＤ２１のための切り欠き部２２を有し、外部照明ＬＥＤ２１から射出した光は、この切り欠き部２２を介しアナログ腕時計１の表面方向に向けてアナログ腕時計１の外部を照らす。
【００１９】
アナログ腕時計１の裏ブタ３０側には、充電可能なコイン型二次電池３１が配置され、コイン型二次電池３１の周囲には、充電用の二次コイル３２が配置されている。裏ブタ３０には、圧電素子３３が取り付けられており、コンタクトバネ３４により電気接続を行う。この圧電素子３３により、アナログ腕時計１はサウンドアラーム機能を実現することができる。ここで、サウンドアラーム機能とは、所定の音によるアラームを出力する機能であり、例えば設定された時刻にアラームが出力される。
【００２０】
アナログムーブメント１１と遮光板３５の間に、第１回路基板４０が配置されている。第１回路基板４０は、デジタル表示用ＬＥＤ１７を駆動する駆動回路を有している。駆動回路については、後述する。
【００２１】
さらに、第１回路基板４０は、切り欠き部４１を有し、バイブレーション用振動モータ１９は、切り欠き部４１を設けることにより確保された時計ケース１０内のスペースに、切り欠き部４１に配置されている。すなわち、バイブレーション用振動モータ１９は、文字板１６の平面に垂直な方向であるアナログ腕時計１の厚み方向において、第１回路基板４０と重ならない位置であって、かつ第１回路基板４０と同一面上の位置に配置されている。
【００２２】
二次電池３１と第１回路基板４０の間、アナログ腕時計１の厚み方向ほぼ中央には、第２回路基板５０が配置されている。第２回路基板５０は、二次電池３１への充電を行う充電回路である。第２回路基板５０は、第１回路基板４０と同様に、切り欠き部５１を有し、バイブレーション用振動モータ１９は、切り欠き部５１を設けることにより確保された時計ケース１０内のスペースに収容されている。すなわち、バイブレーション用振動モータ１９は、切り欠き部５１であって、厚み方向において、第２回路基板５０と重ならない位置であって、かつ第２回路基板５０と同一平面上の位置に配置されている。
【００２３】
文字板１６の裏面には、第３回路基板６０が配置されている。第３回路基板６０は、内部照明ＬＥＤ２０の基板である。なお、第１回路基板４０、第２回路基板５０、第３回路基板６０の間の電気接続は、図示せぬコイルスプリングを用いる。回路基板間の電気接続についての詳細は、特開２００８−１２８８１８号公報を参照することができる。
【００２４】
図２は、第１回路基板４０を表面４２側から見た図である。図３は、第１回路基板４０を裏面４３側から見た図である。第１回路基板４０は、１２時側に切り欠き部４１を有している。このように、切り欠き部４１を有するため、アナログ腕時計１全面が第１回路基板４０により覆われることがない。バイブレーション用振動モータ１９は、この切り欠き部４１を設けることにより確保されたスペースに収容されている。
【００２５】
これにより、バイブレーション用振動モータ１９を、厚み方向において、第１回路基板４０と重ならないように、第１回路基板４０の面と切り欠き部４１により確保されたスペース内の同一平面上の位置に配置することができる。したがって、第１回路基板４０とバイブレーション用振動モータ１９とをアナログ腕時計１の厚み方向に重ねて配置した場合に比べてアナログ腕時計１の厚みを低減することができる。
【００２６】
第１回路基板４０の表面４２には、外部照明ＬＥＤ２１およびデジタル表示用ＬＥＤ１７が搭載されている。デジタル表示用ＬＥＤ１７は、アナログ腕時計１の６時側の領域に配置されている。外部照明ＬＥＤ２１は、文字板１６の表面に外部照明ＬＥＤ２１が配置されるように第１回路基板４０に搭載されている。
【００２７】
第１回路基板４０の裏面４３には、デジタル表示用ＬＥＤ１７を駆動する駆動回路４５が形成されている。駆動回路４５は、マイコンＩＣ４６を有している。
【００２８】
さらに、第１回路基板４０の表面４２には、第３回路基板６０への接続パターン４７が形成され、第１回路基板４０の裏面４３には、第２回路基板５０への接続パターン４８が形成されている。
【００２９】
図４は、第２回路基板５０を表面５２から見た図である。図５は、第２回路基板５０を裏面５３側から見た図である。第２回路基板５０は、第１回路基板４０と同様に、１２時側に切り欠き部５１を有している。バイブレーション用振動モータ１９は、この切り欠き部５１により確保されたスペースに収容されている。
【００３０】
これにより、バイブレーション用振動モータ１９を、厚み方向において、第２回路基板５０と重ならないように、第２回路基板５０と切り欠き部５１により確保されたスペース内の同一平面上の位置に配置することができる。したがって、第２回路基板５０とバイブレーション用振動モータ１９とをアナログ腕時計１の厚み方向に重ねて配置した場合に比べてアナログ腕時計１の厚みを低減することができる。
【００３１】
第２回路基板５０の裏面５３には、二次電池３１を充電する充電回路５４が形成されている。さらに、第２回路基板５０の表面５２には、第１回路基板４０への接続パターン５５が形成され、第２回路基板５０の裏面５３には、二次コイル３２と接続するための接続パターン５６が形成されている。さらに、第２回路基板５０の裏面５３にはコンタクトバネ５７が搭載されている。
【００３２】
以上のように、第１回路基板４０に駆動回路４５を搭載し、第２回路基板５０に充電回路を搭載し、さらに、第１回路基板４０の切り欠き部４１および第２回路基板５０の切り欠き部５１により確保されたスペースにバイブレーション用振動モータ１９を収容することにより、レイアウトを最適化することができる。
【００３３】
図６および図７は、バイブレーション用振動モータ１９、二次電池３１および二次コイル３２の位置関係を示す図である。図６は、第３回路基板６０等をアナログ腕時計１の表面側から見た図である。図７は、アナログ腕時計１の断面図である。二次コイル３２は、固定部５８Ａ，５８Ｂにその末端が固定されている。二次電池３１は、第２回路基板５０側にコーナＲ部３６を有している。バイブレーション用振動モータ１９は、バイブレーション用振動モータ１９の長手方向とアナログ腕時計１の表面とが略平行になるように、コーナＲ部３６により確保されたスペースに収容されている。すなわち、バイブレーション用振動モータ１９の下部３７は、アナログ腕時計１の厚み方向において、二次電池３１の第１面３８よりも裏ブタ３０側に位置している。これにより、アナログ腕時計１の厚み方向における二次電池３１とバイブレーション用振動モータ１９の重なりを低減し、アナログ腕時計１の厚みを低減することができる。
【００３４】
図８は、第３回路基板６０を表面６２から見た図である。第３回路基板６０は、第１回路基板４０への接続パターン６３および内部照明ＬＥＤ２０を有している。
【００３５】
図９は、充電器７０に載置されたアナログ腕時計１を示す図である。アナログ腕時計１の二次コイル３２は、充電器７０の一次コイル７１において発生した磁界を受け、二次電池３１に充電する。
【００３６】
図１０は、アナログ腕時計１の概略構成を示すブロック図である。アナログ腕時計１は、第１回路基板４０、第２回路基板５０、第３回路基板６０等の他、アナログ表示用モーター８０、サウンドブザー８１を備えている。
【産業上の利用可能性】
【００３７】
以上のように、本発明にかかるアナログ腕時計は、バイブレーション機能を有するアナログ腕時計に有用であり、特に、多機能を備えたアナログ腕時計などに適している。
【符号の説明】
【００３８】
１  アナログ腕時計
１０  時計ケース
１１  アナログムーブメント
１６  文字板
１７  デジタル表示用ＬＥＤ
１８  デジタル表示
１９  バイブレーション用振動モータ
２０  内部照明ＬＥＤ
２１  外部照明ＬＥＤ
２２  切り欠き部
３０  裏ブタ
３１  二次電池
３２  二次コイル
３３  圧電素子
３５  遮光板
４０  第１回路基板
４１  切り欠き部
４５  駆動回路
５０  第２回路基板
５１  切り欠き部
５４  充電回路
６０  第３回路基板
【図１−１】
2011112460.tif 000003
【図１−２】
2011112460.tif 000004
【図２】
2011112460.tif 000005
【図３】
2011112460.tif 000006
【図４】
2011112460.tif 000007
【図５】
2011112460.tif 000008
【図６】
2011112460.tif 000009
【図７】
2011112460.tif 000010
【図８】
2011112460.tif 000011
【図９】
2011112460.tif 000012
【図１０】
2011112460.tif 000013